(57)【要約】【課題】少ない導電性部材で口金と実装基板とを電気的に接続させる。【解決手段】光源装置１は、固体発光素子と、回路素子と、実装基板と、筐体５と、一対の口金６とを備える。一対の口金６は、一の方向に沿って筐体５から互いに反対向きに突出する。一対の口金６の少なくとも一方は、筒部６１と、立壁６２とを含む。筒部６１は、一の方向における実装基板の端部（突出片４２）を囲むように設けられており、外部の導電部材と電気的に接続される。立壁６２は、筒部６１と電気的に接続されている。立壁６２は、立壁６２と実装基板の端部とで囲まれた領域に導電性部材が設けられて、実装基板に実装された回路素子と電気的に接続されている。【選択図】図１
2018110064.tif 000002
【特許請求の範囲】
【請求項１】
固体発光素子と、
前記固体発光素子に流れる電流を制御する回路素子と、
前記固体発光素子及び前記回路素子が実装される実装基板と、
前記実装基板を支持する筐体と、
一の方向に沿って前記筐体から互いに反対向きに突出する一対の口金とを備え、
前記一対の口金の少なくとも一方は、
前記一の方向における前記実装基板の端部を囲むように設けられており外部の導電部材と電気的に接続される筒部と、
前記筒部と電気的に接続されている立壁とを含み、
前記立壁は、前記立壁と前記実装基板の前記端部とで囲まれた領域に導電性部材が設けられて、前記実装基板に実装された前記回路素子と電気的に接続されている
光源装置。
【請求項２】
前記立壁は、前記実装基板の厚み方向において前記実装基板の前記端部の両側に配置されている
請求項１記載の光源装置。
【請求項３】
前記筒部は、
前記実装基板の前記端部が貫通する貫通孔を有し、
前記立壁は、
前記筒部に接続されており、
前記筒部に接続されている部分から前記貫通孔に近づくにつれて前記筐体に近づくように傾斜する傾斜部を含む
請求項１又は２記載の光源装置。
【請求項４】
前記筒部は、
前記筒部の軸方向における端部に形成された凹部を有し、
前記立壁は、
前記実装基板の前記端部が貫通する貫通孔を有し、
前記筒部の前記凹部の底辺から前記貫通孔に近づくにつれて前記筐体から離れるように傾斜する第１立壁と、
前記第１立壁の側辺から前記軸方向に沿って突出する第２立壁とを含み、
前記導電性部材は、前記第１立壁と前記第２立壁と前記実装基板の前記端部とで囲まれた領域に設けられている
請求項１又は２記載の光源装置。
【請求項５】
前記第２立壁は、前記軸方向に沿って設けられており、複数配置されている
請求項４記載の光源装置。
【請求項６】
前記立壁は、板状であり、前記実装基板の前記端部と交差して接続されており、導電性部材を介して前記筒部と電気的に接続されている
請求項１又は２記載の光源装置。
【請求項７】
前記筐体は、
前記固体発光素子からの光が透過する第１開口と、
前記実装基板の厚み方向において前記第１開口と対向する第２開口と
を有する請求項１〜６のいずれか１項に記載の光源装置。
【請求項８】
請求項１〜７のいずれか１項に記載の光源装置と、
前記一対の口金と各別に電気的に接続される一対の接続端子と
を備える照明装置。
【請求項９】
請求項８記載の照明装置と、
前記照明装置を搭載する本体と
を備える移動体。
【請求項１０】
前記照明装置を複数備え、
前記複数の照明装置は、前記本体に非対称に搭載されている
請求項９記載の移動体。
【発明の詳細な説明】
【技術分野】
【０００１】
本発明は、光源装置、照明装置及び移動体に関し、特に、固体光源素子を備える光源装置、この光源装置を備える照明装置、及び、この照明装置を備える移動体に関する。
【背景技術】
【０００２】
近年、自動車などの移動体には、電球の代わりにＬＥＤを備える光源装置が使用されている。ＬＥＤを備える光源装置は、電球と比較して、長寿命、かつ振動に強いという特性を有する。
【０００３】
この種の光源装置としては、ＬＥＤと、点灯回路と、基板と、外枠ケースと、一対の口金とを備えるＬＥＤ灯具が知られている（例えば特許文献１参照）。
【先行技術文献】
【特許文献】
【０００４】
【特許文献１】特開２０１１−２３０７５１号公報
【発明の概要】
【発明が解決しようとする課題】
【０００５】
従来の光源装置では、口金と実装基板とを電気的に接続するために、はんだが用いられていた。
【０００６】
しかしながら、従来の光源装置では、口金の内部空間を全て充填する量のはんだが必要であった。
【０００７】
本発明は上記の点に鑑みてなされた発明であり、本発明の目的は、少ない導電性部材で口金と実装基板とを電気的に接続させることができる光源装置、照明装置及び移動体を提供することにある。
【課題を解決するための手段】
【０００８】
本発明の一態様に係る光源装置は、固体発光素子と、回路素子と、実装基板と、筐体と、一対の口金とを備える。前記回路素子は、前記固体発光素子に流れる電流を制御する。前記実装基板には、前記固体発光素子及び前記回路素子が実装される。前記筐体は、前記実装基板を支持する。前記一対の口金は、一の方向に沿って前記筐体から互いに反対向きに突出する。前記一対の口金の少なくとも一方は、筒部と、立壁とを含む。前記筒部は、前記一の方向における前記実装基板の端部を囲むように設けられており、外部の導電部材と電気的に接続される。前記立壁は、前記筒部と電気的に接続されている。前記立壁は、前記立壁と前記実装基板の前記端部とで囲まれた領域に導電性部材が設けられて、前記実装基板に実装された前記回路素子と電気的に接続されている。
【０００９】
本発明の一態様に係る照明装置は、前記光源装置と、一対の接続端子とを備える。前記一対の接続端子は、前記一対の口金と各別に電気的に接続される。
【００１０】
本発明の一態様に係る移動体は、前記照明装置と、本体とを備える。前記本体は、前記照明装置を搭載する。
【発明の効果】
【００１１】
本発明の各態様に係る光源装置、照明装置及び移動体によれば、少ない導電性部材で口金と実装基板とを電気的に接続させることができる。
【図面の簡単な説明】
【００１２】
【図１】図１は、本発明の実施形態１に係る光源装置の斜視図である。
【図２】図２は、同上の光源装置の正面側の分解斜視図である。
【図３】図３は、同上の光源装置の背面側の分解斜視図である。
【図４】図４Ａは、同上の光源装置の口金の斜視図である。図４Ｂは、同上の口金について実装基板に取り付けられている状態の斜視図である。図４Ｃは、同上の口金について実装基板に取り付けられている状態の断面図である。
【図５】図５は、実施形態１に係る照明装置の正面図である。
【図６】図６は、実施形態１に係る一対の接続端子の斜視図である。
【図７】図７Ａは、本発明の実施形態２に係る光源装置の口金の斜視図である。図７Ｂは、同上の口金について実装基板に取り付けられている状態の斜視図である。図７Ｃは、同上の口金について実装基板に取り付けられている状態の断面図である。
【図８】図８Ａは、本発明の実施形態３に係る光源装置の口金の要部の斜視図である。図８Ｂは、同上の口金について実装基板に取り付けられている状態の斜視図である。図８Ｃは、同上の口金について実装基板に取り付けられている状態の側面図である。
【図９】図９Ａは、本発明の実施形態４に係る照明装置の要部の正面側の斜視図である。図９Ｂは、同上の照明装置の要部の背面側の斜視図である。
【図１０】図１０は、本発明の実施形態５に係る移動体を示す模式図である。
【発明を実施するための形態】
【００１３】
（実施形態１）
以下では、実施形態１に係る光源装置１を、図１、図２、図３、図４Ａ、図４Ｂ及び図４Ｃを参照して説明する。光源装置１を備える照明装置８を、図５及び図６を参照して説明する。図中においては、同じ部材に対し、同じ符号を付して重複する説明を省略する。各図面が示す部材の大きさや位置関係は、説明を明確にするために誇張していることがある。以下の説明において、実施形態１を構成する各要素は、複数の要素を一の部材で構成して一の部材が複数の要素を兼ねる態様としてもよいし、逆に一の部材の機能を複数の部材で分担して実現してもよい。
【００１４】
（１）光源装置の全体構成
実施形態１に係る光源装置１は、図１、図２及び図３に示すように、複数（図２では３つ）のＬＥＤ（固体発光素子）２と、複数（図２及び図３では５つ）の回路素子３と、実装基板４と、筐体５と、一対の口金６と、レンズ７とを備える。実施形態１では、３つのＬＥＤ２及び５つの回路素子３を例示している。
【００１５】
複数の回路素子３は、複数のＬＥＤ２に流れる電流を制御するように構成されている。実装基板４には、複数のＬＥＤ２及び複数の回路素子３が実装されている。筐体５は、長尺に形成されている。筐体５は、箱状の外形形状をしている。筐体５は、実装基板４を保持している。一対の口金６は、筐体５の長手方向に沿って、筐体５から互いに反対方向に突出している。一対の口金６は、複数のＬＥＤ２と電気的に接続されている。
【００１６】
（２）光源装置の各構成
以下では、実施形態１に係る光源装置１の各構成について説明する。
【００１７】
（２．１）複数のＬＥＤ
複数のＬＥＤ２の各々は、図２に示すように、ＬＥＤチップ２１と、パッケージ２２と、封止材２３とを備える。各ＬＥＤ２は、表面実装型発光ダイオードである。ＬＥＤチップ２１は、可視光を発光するベアチップである。ベアチップは、青色光が発光可能な青色ＬＥＤチップである。青色ＬＥＤチップは、窒化ガリウム系化合物半導体発光素子である。青色ＬＥＤチップは、例えば、通電により、ピーク波長が、４２０ｎｍから４９０ｎｍの範囲内にある青色光を放射する。
【００１８】
パッケージ２２は、一表面にＬＥＤチップ２１を収納する凹所を有する。パッケージ２２は、樹脂材料で形成されている。パッケージ２２の樹脂材料としては、例えば、エポキシ樹脂が挙げられる。パッケージ２２は、樹脂材料で形成されている構成だけに限らず、セラミック材料で形成されてもよい。パッケージ２２のセラミック材料としては、例えば、アルミナが挙げられる。パッケージ２２は、一表面と反対の他表面に一対の外部接続端子が設けられている。一対の外部接続端子の各々は、ＬＥＤチップ２１が給電されるように、ＬＥＤチップ２１と電気的に接続されている。
【００１９】
封止材２３は、パッケージ２２の凹所を封止する。封止材２３は、透光性材料により形成されている。封止材２３の透光性材料としては、例えば、シリコーン樹脂、エポキシ樹脂、又はガラスが挙げられる。封止材２３の透光性材料には、蛍光体が混合される。
【００２０】
蛍光体は、例えば、黄色蛍光体である。黄色蛍光体は、青色ＬＥＤチップから放射される青色光により励起されて、黄色光を放射する。各ＬＥＤ２は、青色ＬＥＤチップから放射される青色光と、黄色蛍光体から放射される黄色光と、の混色光を放射する。混色光としては、例えば、昼白色の光である。黄色蛍光体としては、例えば、Ｃｅで付活されたＹ３Ａｌ５Ｏ１２、又はＥｕで付活されたＢａ２ＳｉＯ４が挙げられる。
【００２１】
ＬＥＤ２は、青色ＬＥＤチップと黄色蛍光体とによって白色の光を放出する構成に限定されない。ＬＥＤ２は、黄色蛍光体に代えて、例えば、赤色蛍光体と緑色蛍光体とを備える構成であってもよい。ＬＥＤ２は、赤色蛍光体からの赤色光と、緑色蛍光体からの緑色光と、青色ＬＥＤチップからの青色光との混色光により、白色の光を放出する。ＬＥＤ２は、青色ＬＥＤチップに代えて、例えば、紫外光を放出する紫外ＬＥＤチップを備える構成であってもよい。ＬＥＤ２は、紫外ＬＥＤチップを備える場合、例えば、紫外光で励起され赤色光を放出する赤色蛍光体と、紫外光で励起され緑色光を放出する緑色蛍光体と、紫外光で励起され青色光を放出する青色蛍光体とを備える。ＬＥＤ２は、赤色蛍光体からの赤色光と、緑色蛍光体からの緑色光と、青色蛍光体からの青色光との混色によって白色の光を放出する。封止材２３の透光性材料には、必ずしも蛍光体が混合されていなくてもよい。ＬＥＤ２は、配光を制御するレンズを備えてもよい。ＬＥＤ２は、表面実装型発光ダイオードの構成に限定されない。ＬＥＤ２は、ＬＥＤチップ２１だけであってもよい。
【００２２】
（２．２）複数の回路素子
複数の回路素子３は、図２、図３に示すように、各ＬＥＤ２に流れる電流を制御する。複数の回路素子３は、相互に電気的に接続されて、点灯回路を構成する。点灯回路は、一対の口金６から入力される直流電圧を所定の極性及び所定の電圧値に調整して、複数のＬＥＤ２のそれぞれに出力する。
【００２３】
回路素子３としては、例えば、抵抗素子、整流素子、コンデンサ及び定電圧素子が挙げられる。定電圧素子は、ツェナーダイオードである。整流素子は、ダイオードブリッジ回路を構成する。ダイオードブリッジ回路は、入力された直流電力を全波整流する。回路素子３は、コイル、ダイオード、又はトランジスタであってもよい。回路素子３は、光源装置１における一対の口金６のうち、いずれの口金６が外部の直流電源の正極側と接続された場合でも、各ＬＥＤ２に順方向電流が流れるように、一対の口金６と各ＬＥＤ２とがダイオードブリッジ回路を介して電気的に接続されている。
【００２４】
（２．３）実装基板
実装基板４は、図２に示すように、長尺に形成されている。実装基板４は、平板状の外形形状をしている。実装基板４は、主片４１と、一対の突出片４２とを有する。主片４１は、長尺に形成されている。主片４１は、矩形平板状の外形形状をしている。一対の突出片４２の各々は、長尺に形成されている。一対の突出片４２の各々は、主片４１よりも小さい矩形平板状の外形形状をしている。一対の突出片４２は、主片４１の長手方向に沿って、主片４１から互いに反対方向に突出する。一対の突出片４２の各々は、主片４１における短手方向の両端部のうち、一方の端部に偏って設けられている。
【００２５】
実装基板４の主片４１には、複数のＬＥＤ２及び複数の回路素子３が実装されている。実装基板４には、図２に示すように、主片４１の短手方向の一方の端部において、複数の回路素子３のうち、２つの回路素子３が配置されている。実装基板４は、第１主面４３において、一対の突出片４２を結ぶ直線上に、２つの回路素子３が配置されている。言い換えれば、実装基板４は、一対の突出片４２を結ぶ直線上に、複数の回路素子３のうち、少なくとも１つの回路素子３が配置されている。実装基板４は、図３に示すように、第１主面４３と反対の第２主面４４に、複数の回路素子３のうち、残りの回路素子３が実装されている。実装基板４の第１主面４３に実装された回路素子３は、抵抗素子である。実装基板４の第２主面４４に実装された回路素子３は、整流素子、コンデンサ及び定電圧素子である。
【００２６】
実装基板４は、図２に示すように、主片４１の短手方向の一方の端部と反対の他方の端部において、主片４１の長手方向に沿って、複数のＬＥＤ２が直線状に配置される。言い換えれば、実装基板４は、一対の突出片４２を結ぶ直線と平行な方向に沿って、一対の突出片４２を結ぶ直線上からずれて複数のＬＥＤ２が配置されている。
【００２７】
実装基板４は、両面プリント配線板であり、配線と、レジストとを有する。配線は、例えば銅箔であり、実装基板４の第１主面４３及び第２主面４４に形成されている。配線は、複数のＬＥＤ２及び複数の回路素子３を電気的に接続するように、所定の形状に形成されている。また、配線は、一対の突出片４２の先端まで引き回される。実装基板４の第１主面４３に形成された配線と、実装基板４の第２主面４４に形成された配線とは、実装基板４の厚み方向に貫通する貫通配線によって、電気的に接続されている。
【００２８】
レジストは、実装基板４の第１主面４３及び第２主面４４に形成されている。レジストは、電気絶縁性を有する薄膜である。レジストは、配線の一部を除いて配線を覆うように設けられている。レジストは、配線の酸化及び配線の腐食を抑制する。レジストは、光反射フィラーと、樹脂材料とを有する。レジストは、樹脂材料に光反射フィラーが含有されることで、白色に着色される。光反射フィラーとしては、例えば、酸化チタンが挙げられる。レジストの樹脂材料としては、例えば、エポキシ樹脂又はシリコーン樹脂が挙げられる。
【００２９】
実装基板４では、はんだにより、複数のＬＥＤ２における外部接続端子と、レジストから露出した配線とが電気的に接続されている。実装基板４は、配線を介して、複数のＬＥＤ２の各々を、電気的に直列、並列又は直並列に接続している。実装基板４は、ガラスエポキシ樹脂基板である。実装基板４は、ガラスエポキシ樹脂基板だけに限らない。実装基板４は、例えば、セラミックス基板又は金属ベース基板であってもよい。実装基板４がセラミックス基板の場合、セラミックス基板の材料としては、例えば、アルミナ又は窒化アルミニウムが挙げられる。実装基板４が金属ベース基板である場合、金属ベース基板の材料としては、例えば、アルミニウム合金基板、銅合金基板又は鉄合金基板が挙げられる。
【００３０】
実装基板４では、各ＬＥＤ２の周囲における配線のランドの面積を大きくすることができる。これにより、各ＬＥＤ２の点灯により生ずる熱を放熱させやすい。各ＬＥＤ２で生じた熱を放熱させやすくできるので、各ＬＥＤ２及び各回路素子３が熱により損傷することを抑制できる。その結果、信頼性の低下を抑制できる。
【００３１】
（２．４）筐体
筐体５は、図１、図２及び図３に示すように、実装基板４を支持するように構成されている。筐体５は、樹脂材料で形成されている。筐体５は、例えば直方体状であり、ボディ５１と、カバー５２とを有する。ボディ５１は、一面に開口５１１を有する箱状の外形形状をしている。ボディ５１は、ボディ本体５３と、一対の突出部５４と、拡幅部５５とを有する。ボディ本体５３は、長尺に形成されている。ボディ本体５３は、有底角筒状の外形形状をしている。一対の突出部５４は、ボディ本体５３の長手方向に沿って、ボディ本体５３から互いに反対方向に突出する。一対の突出部５４は、ボディ本体５３の短手方向の両端部のうち、一方の端部に偏って設けられる。一対の突出部５４の各々は、延出部５４１と、一対の突出壁５４２とを有する。延出部５４１は、ボディ本体５３の長手方向に沿ってボディ本体５３から外方へ突出する。一対の突出壁５４２の各々は、長手方向（突出方向）が延出部５４１の長手方向に沿って設けられている。一対の突出壁５４２は、延出部５４１の短手方向（突出方向と直交する方向）の両側に配置されている。一対の突出壁５４２は、互いに対向して配置されている。
【００３２】
一対の突出部５４の各々は、延出部５４１に実装基板４の突出片４２が載せ置かれた状態で、突出片４２が実装基板４の短手方向に移動することを規制する。一対の突出部５４は、ボディ本体５３の長手方向に沿って、ボディ本体５３から互いに反対の外方へ突出する。
【００３３】
拡幅部５５は、ボディ本体５３の短手方向における一方の端部と反対の他方の端部に設けられている。拡幅部５５は、ボディ本体５３の長手方向の長さよりも、若干長く形成されている。拡幅部５５は、第１立壁５５１と、第２立壁５５２と、第３立壁５５３とを有する。第１立壁５５１は、長尺に形成されている。第１立壁５５１は、矩形平板状の外形形状をしている。第２立壁５５２は、長尺に形成されている。第２立壁５５２は、矩形平板状の外形形状をしている。第２立壁５５２は、長手方向の両端部において、短手方向の一方の端に一対の爪５５４を有する。第３立壁５５３は、長尺に形成されている。第３立壁５５３は、矩形平板状の外形形状をしている。第１立壁５５１は、第２立壁５５２の長手方向の一端に設けられている。第１立壁５５１は、長手方向の長さが第２立壁５５２の短手方向の長さと同じ長さに形成されている。第３立壁５５３は、第２立壁５５２の長手方向の一端と反対の他端に設けられている。第３立壁５５３は、長手方向の長さが第２立壁５５２の短手方向の長さと同じ長さに形成されている。第１立壁５５１と第３立壁５５３とは、対向して配置されている。拡幅部５５は、第１立壁５５１と第２立壁５５２と第３立壁５５３とで、Ｃ字状の外形形状をしている。拡幅部５５は、突出部５４よりもボディ本体５３の長手方向への突出量が少ない。
【００３４】
カバー５２は、ボディ５１の開口５１１を塞ぐ。カバー５２は、カバー本体５６と、一対の突起部５７とを有する。カバー本体５６は、長尺に形成されている。カバー本体５６は、矩形平板状の外形形状をしている。カバー本体５６は、窓孔５６１を有する。窓孔５６１は、カバー本体５６の厚み方向に貫通する。窓孔５６１は、矩形状に形成されている。窓孔５６１の長手方向は、カバー本体５６の長手方向に沿って設けられている。窓孔５６１は、カバー本体５６の短手方向の中央より他方の端部側に配置されている。
【００３５】
一対の突起部５７は、カバー本体５６の長手方向に沿って、カバー本体５６から互いに反対方向に突出する。一対の突起部５７は、カバー本体５６の短手方向の両端部のうち、一方の端部に偏って設けられている。一対の突起部５７の各々は、半円柱状の外形形状をしている。一対の突起部５７は、カバー本体５６の長手方向に沿って、カバー本体５６から互いに反対の外方へ突出する。
【００３６】
カバー本体５６は、短手方向の他方の端にボディ５１の一対の爪５５４と対応する一対の切欠部５６２を有する。筐体５は、カバー５２がボディ５１の開口５１１を塞いだ状態で、一対の爪５５４が一対の切欠部５６２に設けられた引掛突起に引っ掛かる。筐体５は、カバー５２がボディ５１の開口５１１を塞いだ状態で、対応する突出部５４と突起部５７とが重なる。筐体５は、カバー５２がボディ５１の開口５１１を塞いだ状態で、対応する突出部５４及び突起部５７で円筒状の外形形状を構成する。対応する突出部５４及び突起部５７は、カバー５２がボディ５１の開口５１１を塞いだ状態で、筐体５の内部と外部とに連なる角筒状の開口孔を構成する。
【００３７】
筐体５の樹脂材料は、ＰＡ（Poly Amide）樹脂である。筐体５の樹脂材料は、ＰＡ樹脂だけに限らず、ＰＢＴ（Poly Butylene Terephthalate）樹脂、ＬＣＰ（Liquid Crystal Plastic）樹脂、ＰＥＴ（Poly Ethylene Terephthalate）樹脂又はフェノール樹脂であってもよい。あるいは、筐体５の樹脂材料は、ＡＢＳ（Acrylonitrile Butadiene Styrene）樹脂、ＰＰ（polypropylene）樹脂、ＳＰＳ（Syndiotactic Poly Styrene）樹脂又はＰＰＳ（Poly Phenylene Sulfide）樹脂であってもよい。樹脂材料中にガラス繊維が配合されることで、筐体５の機械的強度が高められてもよい。
【００３８】
（２．５）一対の口金
一対の口金６は、図１、図２及び図３に示すように、筐体５の長手方向（一の方向）に沿って、筐体５から互いに反対向きに突出する。一対の口金６は、実装基板４の一対の突出片４２に設けられた配線と電気的に接続される。一対の口金６は、複数のＬＥＤ２を点灯させる電力を外部から受け、外部から受けた電力を複数の回路素子３へ供給する。一対の口金６は、光源装置１に給電する給電端子として機能する。
【００３９】
一対の口金６の各々は、金属材料により形成されている。一対の口金６の金属材料としては、例えば、真ちゅう、銅、銅合金、鉄、又はステンレスが挙げられる。一対の口金６は、同じ金属材料で形成されていてもよいし、互いに異なる金属材料で形成されていてもよい。
【００４０】
一対の口金６は、図４Ａ、図４Ｂ及び図４Ｃに示すように、筒部６１と、立壁６２とを備える。また、各口金６は、実装基板４の突出片４２が貫通する貫通孔６３を有する。
【００４１】
筒部６１は、円筒状であり、筐体５に取り付けられたときに筐体５の長手方向（一の方向）における実装基板４の突出片４２（端部）を囲むように設けられている。そして、筒部６１は、後述するように、外部の導電部材と電気的かつ機械的に接続される。
【００４２】
立壁６２は、筒部６１と電気的に接続されている。立壁６２は、筒部６１の先端に接続されている。つまり、立壁６２は、筒部６１と一体に形成されている。そして、立壁６２は、筐体５に取り付けられたときに筒部６１に接続されている部分から貫通孔６３に近づくにつれて筐体５に近づくように傾斜する。つまり、立壁６２は、中心に近づくほど筐体５に近づくような凹面状に形成されている。ここで、実施形態１の立壁６２は、実装基板４の厚み方向において実装基板４の突出片４２の両側に配置されており、立壁６２の全ての部分が傾斜部である。
【００４３】
立壁６２は、図４Ｃに示すように、立壁６２と実装基板４の突出片４２とで囲まれた領域に導電性部材６０１が設けられて、実装基板４の突出片４２の配線と電気的に接続されている。つまり、立壁６２は、実装基板４に実装された複数の回路素子３と電気的に接続されている。要するに、立壁６２と実装基板４の突出片４２とに跨るように導電性部材６０１が設けられる。
【００４４】
導電性部材６０１は、対応する実装基板４の突出片４２の配線と口金６とを電気的に接続するために設けられている。導電性部材６０１としては、例えば、はんだ又は導電性樹脂が挙げられる。導電性樹脂としては、例えば、銀ペーストが挙げられる。一対の口金６の各々が、導電性部材６０１により、実装基板４と電気的かつ機械的に接続されることで、一対の口金６の機械的強度を高めることができる。
【００４５】
ここで、立壁６２が設けられていない口金の場合、口金に囲まれた空間において口金と筐体５とで囲まれた空間の全てに導電性部材が充填されるので、導電性部材の量が多くなる。
【００４６】
これに対して、実施形態１の口金６では、立壁６２が設けられているので、筒部６１と筐体５とで囲まれた空間のうち立壁６２よりも先端側の空間だけに導電性部材６０１が充填される。これにより、立壁６２が設けられていない口金よりも、導電性部材６０１の量を低減させることができる。
【００４７】
また、立壁６２が設けられていない口金の場合、導電性部材が筐体５と接触するため、実装基板４と筐体５との隙間から導電性部材が筐体５の内部に流入するおそれがあった。
【００４８】
これに対して、実施形態１の口金６では、立壁６２によって導電性部材６０１と筐体５とが接触しないので、導電性部材６０１が筐体５の内部に流入することを抑制できる。
【００４９】
（２．６）レンズ
レンズ７は、図１、図２及び図３に示すように、矩形平板状である。レンズ７は、筐体５と別体に構成されており、筐体５の窓孔５６１に嵌め込まれている。レンズ７は、各ＬＥＤ２からの光に対して透光性を有する。レンズ７は、各ＬＥＤ２からの光を拡散する。レンズ７は、ＬＥＤ２の数、ＬＥＤ２の配置及び窓孔５６１の形状に応じて、適宜の形状に形成されている。レンズ７は、各ＬＥＤ２からの光を所定の照射方向へ変更することができる。レンズ７は、各ＬＥＤ２を覆って設けられている。レンズ７は、各ＬＥＤ２を覆って、各ＬＥＤ２を機械的に保護する。レンズ７は、例えば、フレネルレンズである。フレネルレンズは、複数のＬＥＤ２の各々に対応して設けられている。レンズ７の材料としては、例えば、エポキシ樹脂、アクリル樹脂、シリコーン樹脂、ポリカーボネート樹脂又はガラスが挙げられる。
【００５０】
（３）光源装置の製造工程
次に、光源装置１の製造工程について説明する。
【００５１】
まず、実装基板４の第１主面４３に複数のＬＥＤ２が実装される。実装基板４には、配線を覆うように予めレジストが形成されている。実装基板４は、レジストから露出した配線のランドにクリームはんだが塗布された後、複数のＬＥＤ２がランドに搭載される。実装基板４の第１主面４３には、複数のＬＥＤ２と同様に、複数の回路素子３が搭載される。実装基板４は、リフロー炉で加熱され、複数のＬＥＤ２及び複数の回路素子３がはんだ付けされる。実装基板４の第２主面４４も同様にして、複数の回路素子３がはんだ付けされる。
【００５２】
ボディ５１、カバー５２及びレンズ７は、例えば、射出成形によりそれぞれ形成される。実装基板４をボディ５１の内部に収納する。一対の突出片４２がボディ５１の突出部５４に載せ置かれる。実装基板４をボディ５１の内部に収納した状態で、カバー５２をボディ５１に被せる。カバー５２がボディ５１に被せた状態で、ボディ５１の爪５５４をカバー５２の引掛突起に引き掛ける。カバー５２の窓孔５６１にレンズ７を嵌め込み固定する。
【００５３】
次に、対応する突出部５４と突起部５７とを覆うように、一対の口金６を取り付ける。一対の口金６を、それぞれ筐体５の中央部に向かう方向に力を加えるようにして、互いに押し付ける。各口金６は、対応する突出部５４と突起部５７とを挟み持つ。筐体５からはみ出した実装基板４の一対の突出片４２を一対の口金６の内部に差し込むようにして、一対の口金６が筐体５の長手方向に沿った両端部に装着する。一対の口金６は、筐体５の両端部を覆うように、筐体５に取り付けられる。
【００５４】
その後、対応する口金６と突出片４２における配線とが、はんだ付けされることで、導電性部材６０１が形成される。対応する突出片４２の配線と口金６とは、はんだにより電気的かつ機械的に接続される。一対の口金６と実装基板４とがはんだ付けされることで、光源装置１が形成される。
【００５５】
（４）照明装置
次に、光源装置１を備える照明装置８について説明する。
【００５６】
照明装置８は、図５に示すように、光源装置１と、一対の接続端子８１、８２とを備える。
【００５７】
一対の接続端子８１、８２は、光源装置１を保持する。一対の接続端子８１、８２は、光源装置１の一対の口金６と各別に電気的に接続されている。
【００５８】
接続端子８１は、図６に示すように、連結片８１２と、一対の挟持片８４と、一対の固定片８５と、一対の保持片８６とを有する。
【００５９】
一対の挟持片８４の各々は、基片８４１と、押圧片８４２と、ガイド片８４３とを有する。基片８４１の先端には、押圧片８４２が設けられている。押圧片８４２は、円弧状の外形形状をしている。押圧片８４２は、基片８４１と反対側にガイド片８４３を有する。ガイド片８４３は、平板状の外形形状をしている。一対の挟持片８４は、ガイド片８４３で口金６の挿入が案内される。一対の挟持片８４は、弾性体であり、一対の口金６のうち対応する口金６を押圧片８４２で挟み持つ。
【００６０】
連結片８１２は、平板状の外形形状をしている。連結片８１２は、長方形状に形成されている。
【００６１】
連結片８１２は、一対の挟持片８４と反対側に一対の固定片８５が設けられている。
【００６２】
一対の固定片８５は、連結片８１２の厚み方向に突出する。一対の固定片８５の各々は、矩形平板状の外形形状をしている。一対の固定片８５は、互いに対向して配置されている。一対の固定片８５は、Ｖ字状の外形形状をしている。一対の固定片８５は、互いに近づく向きに加締められて、外部の電源と接続された電線の芯線を挟み持つ。一対の固定片８５は、連結片８１２と反対側に一対の保持片８６が設けられている。
【００６３】
一対の保持片８６は、連結片８１２の厚み方向に突出する。一対の保持片８６の各々は、矩形平板状の外形形状をしている。一対の保持片８６は、互いに対向して配置されている。一対の保持片８６は、Ｖ字状の外形形状をしている。一対の保持片８６は、互いに近づく向きに加締められて、外部の電源と接続された電線の絶縁被覆を挟み持つ。
【００６４】
接続端子８１では、連結片８１２と一対の挟持片８４と一対の固定片８５と一対の保持片８６とが一体に構成される。接続端子８１は、例えば、平板状の金属板により形成されている。接続端子８１は、金属板の打ち抜き加工及び折り曲げ加工により形成されている。接続端子８１の材料は、導電性の高い材料が好ましい。接続端子８１の材料は、例えば、黄銅である。接続端子８１の材料は、黄銅だけに限らず、リン青銅、鉄又はステンレスであってもよい。接続端子８１は、表面がスズや銀でめっき処理されてもよい。
【００６５】
接続端子８２は、図６に示すように、連結片８２２と、一対の挟持片８７と、一対の固定片８８と、一対の保持片８９とを有する。一対の挟持片８７の各々は、基片８７１と、押圧片８７２と、ガイド片８７３とを有する。基片８７１の先端には、押圧片８７２が設けられている。押圧片８７２は、円弧状の外形形状をしている。押圧片８７２は、基片８７１と反対側にガイド片８７３を有する。ガイド片８７３は、平板状の外形形状をしている。一対の挟持片８７は、ガイド片８７３で口金６の挿入が案内される。一対の挟持片８７は、弾性体であり、一対の口金６のうち対応する口金６を押圧片８７２で挟み持つ。
【００６６】
連結片８２２は、平板状の外形形状をしている。連結片８２２は、長方形状に形成されている。
連結片８２２は、一対の挟持片８７と反対側に一対の固定片８８が設けられている。
【００６７】
一対の固定片８８は、連結片８２２の厚み方向に突出する。一対の固定片８８の各々は、矩形平板状の外形形状をしている。一対の固定片８８は、互いに対向して配置されている。一対の固定片８８は、Ｖ字状の外形形状をしている。一対の固定片８８は、互いに近づく向きに加締められて、外部の電源と接続された電線の芯線を挟み持つ。一対の固定片８８は、連結片８２２と反対側に一対の保持片８９が設けられている。
【００６８】
一対の保持片８９は、連結片８２２の厚み方向に突出する。一対の保持片８９の各々は、矩形平板状の外形形状をしている。一対の保持片８９は、互いに対向して配置されている。一対の保持片８９は、Ｖ字状の外形形状をしている。一対の保持片８９は、互いに近づく向きに加締められて、外部の電源と接続された電線の絶縁被覆を挟み持つ。
【００６９】
接続端子８２では、連結片８２２と一対の挟持片８７と一対の固定片８８と一対の保持片８９とが一体に構成される。接続端子８２は、例えば、平板状の金属板により形成されている。接続端子８２は、金属板の打ち抜き加工及び折り曲げ加工により形成されている。接続端子８２の材料は、導電性の高い材料が好ましい。接続端子８２の材料は、例えば、黄銅である。接続端子８２の材料は、黄銅だけに限らず、リン青銅、鉄又はステンレスであってもよい。接続端子８２は、表面がスズや銀でめっき処理されてもよい。
【００７０】
一対の接続端子８１、８２は、光源装置１における一対の口金６の間の長さに応じて、所定の間隔で配置されている。一対の接続端子８１、８２は、光源装置１の内部に配置されている各ＬＥＤ２と光源装置１の外部の電源とを電気的に接続させる。接続端子８１は、光源装置１の一方の口金６と電気的に接続される。接続端子８２は、光源装置１の他方の口金６と電気的に接続される。一対の接続端子８１、８２の各々は、外部の電源からの電線と電気的かつ機械的に接続する。
【００７１】
（５）変形例
光源装置１は、一対の口金６のいずれかのみが筒部６１と立壁６２とを備えてもよい。すなわち、光源装置１は、一対の口金６の少なくとも一方が筒部６１と立壁６２とを備えていればよい。
【００７２】
レンズ７は、矩形平板状の外形形状に限定されない。また、レンズ７は、フレネルレンズではなく、凸レンズでも凹レンズであってもよい。レンズ７は、各ＬＥＤ２からの光を拡散する構成に限定されない。レンズ７は、各ＬＥＤ２からの光を集光する構成であってもよい。
【００７３】
レンズ７は、光拡散部材を有してもよい。光拡散部材は、各ＬＥＤ２から放射される光を光拡散させる。光拡散部材は、光散乱粒子と、バインダとを有する。光散乱粒子は、各ＬＥＤ２からの光を散乱させる。光散乱粒子の材料としては、例えば、酸化珪素、酸化チタン又は炭酸カルシウムが挙げられる。バインダは、光散乱粒子をレンズ７に付着させる。バインダの材料としては、例えば、シリコーン樹脂又はエポキシ樹脂が挙げられる。光拡散部材は、レンズ７の内表面に設けられている。光拡散部材は、レンズ７の内表面に設けられる構成に限らず、レンズ７の外表面に設けられてもよい。光拡散部材は、レンズ７の内表面又は外表面に形成された凹凸であってもよい。
【００７４】
（６）効果
以上説明したように、実施形態１に係る光源装置１は、（複数の）固体発光素子（ＬＥＤ２）と、（複数の）回路素子３と、実装基板４と、筐体５と、一対の口金６とを備える。回路素子３は、固体発光素子に流れる電流を制御する。実装基板４には、固体発光素子及び回路素子３が実装される。筐体５は、実装基板４を支持する。一対の口金６は、一の方向（筐体５の長手方向）に沿って筐体５から互いに反対向きに突出する。一対の口金６の少なくとも一方は、筒部６１と、立壁６２とを含む。筒部６１は、一の方向における実装基板４の端部（突出片４２）を囲むように設けられており外部の導電部材と電気的に接続される。立壁６２は、筒部６１と電気的に接続されている。立壁６２は、立壁６２と実装基板４の端部とで囲まれた領域に導電性部材６０１が設けられて、実装基板４に実装された回路素子３と電気的に接続されている。
【００７５】
実施形態１に係る光源装置１では、口金６の立壁６２と実装基板４の端部（突出片４２）とで囲まれた領域に導電性部材６０１が設けられることによって、少ない導電性部材６０１で口金６と実装基板４とを電気的に接続させることができる。
【００７６】
実施形態１に係る光源装置１では、立壁６２は、実装基板４の厚み方向において実装基板４の端部（突出片４２）の両側に配置されていることが好ましい。
【００７７】
実施形態１に係る光源装置１によれば、実装基板４の表裏面の両方において筐体５への導電性部材６０１の流入を抑制することができる。
【００７８】
実施形態１に係る光源装置１では、立壁６２は、貫通孔６３を有し、傾斜部を含むことが好ましい。貫通孔６３には、実装基板４の端部（突出片４２）が貫通する。傾斜部は、筒部６１に接続されており、筒部６１に接続されている部分から貫通孔６３に近づくにつれて筐体５に近づくように傾斜する。
【００７９】
実施形態１に係る光源装置１によれば、立壁６２が、筒部６１に接続されている部分から貫通孔６３に近づくにつれて筐体５に近づくように傾斜する傾斜部を含む。これにより、少ない導電性部材で口金６と実装基板４の端部（突出片４２）とを電気的に接続させつつ、立壁６２の存在によって筐体５の内部に導電性部材が流入することを抑制することができる。
【００８０】
実施形態１に係る照明装置８は、光源装置１と、一対の接続端子８１、８２とを備える。一対の接続端子８１、８２は、一対の口金６と各別に電気的に接続される。
【００８１】
また、実施形態１に係る光源装置１では、筐体５における短手方向の端部に設けられた拡幅部５５を作業者が筐体５の長手方向から把持できるので、取り付け作業及び取り外し作業を簡単に行うことができる。
【００８２】
実施形態１に係る照明装置８では、一対の口金６を挟み持つ一対の挟持片８４、８７が弾性体である。これにより、光源装置１の取り付け及び取り外しの作業性を向上させることができる。
【００８３】
（実施形態２）
実施形態２に係る光源装置１ａは、図７Ａ、図７Ｂ及び図７Ｃに示すように、一対の口金６に代えて一対の口金６ａを備える点で、実施形態１に係る光源装置１（図１参照）と相違する。なお、実施形態１に係る光源装置１と同様の構成要素については、同一の符号を付して説明を省略する。
【００８４】
実施形態２に係る一対の口金６ａの各々は、筒部６１ａと、立壁６２ａとを備える。また、各口金６ａは、実装基板４の突出片４２（端部）が貫通する貫通孔６３ａを有する。
【００８５】
筒部６１ａは、筒部６１ａの軸方向における端部に形成された複数（図７Ａでは２つ）の凹部６１１を有する。なお、実施形態１の筒部６１（図４Ａ参照）と同様の機能については説明を省略する。
【００８６】
立壁６２ａは、複数（図７Ａでは２つ）の第１立壁６４と、複数（図７Ａでは４つ）の第２立壁６５とを有する。立壁６２ａは、筒部６１ａと一体に形成されている。なお、実施形態１の立壁６２（図４Ａ参照）と同様の機能については説明を省略する。
【００８７】
各第１立壁６４は、筒部６１ａの凹部６１１の底辺から貫通孔６３ａに近づくにつれて筐体５から離れるように傾斜する。各第１立壁６４は、図７Ｃに示すように、外側だけではなく内側においても、貫通孔６３ａに近づくにつれて筐体５から離れるように傾斜する。つまり、実装基板４の突出片４２が挿入される向き（図７Ｃでは右向き）において、各第１立壁６４は、口金６ａの内部空間が徐々に小さくなるように形成されている。
【００８８】
上記より、口金６ａが筐体５に取り付けられるときに、実装基板４の突出片４２が各第１立壁６４の傾斜によって貫通孔６３ａにガイドされるから、実装基板４の突出片４２を貫通孔６３ａに容易に挿し込むことができる。
【００８９】
各第２立壁６５は、第１立壁６４の側辺から軸方向に沿って突出する。そして、第１立壁６４と第２立壁６５と実装基板４の突出片４２とで囲まれた領域に導電性部材６０２が設けられている。
【００９０】
以上説明したように、実施形態２に係る光源装置１ａにおいて、筒部６１ａは、凹部６１１を有することが好ましい。凹部６１１は、筒部６１ａの軸方向における端部に形成されている。立壁６２ａは、貫通孔６３ａを有することが好ましい。貫通孔６３ａには、実装基板４の端部（突出片４２）が貫通する。立壁６２ａは、（複数の）第１立壁６４と、（複数の）第２立壁６５とを含む。第１立壁６４は、筒部６１の凹部６１１の底辺から貫通孔６３ａに近づくにつれて筐体５から離れるように傾斜する。第２立壁６５は、第１立壁６４の側辺から軸方向に沿って突出する。（複数の）導電性部材６０２は、第１立壁６４と第２立壁６５と実装基板４の端部とで囲まれた領域に設けられている。
【００９１】
実施形態２に係る光源装置１ａでは、筒部６１ａの凹部６１１の底辺から貫通孔６３ａに近づくにつれて筐体５から離れるように傾斜するように第１立壁６４が設けられている。さらに、第１立壁６４と第２立壁６５と実装基板４の端部（突出片４２）とで囲まれた領域に導電性部材６０２が設けられている。これにより、少ない導電性部材６０２で口金６ａと実装基板４の端部とを電気的に接続させつつ、立壁６２ａの存在によって筐体５の内部に導電性部材６０２が流入することを抑制することができる。また、光源装置１ａの製造において、実装基板４の端部を口金６ａの貫通孔６３ａに容易に挿し込むことができる。
【００９２】
実施形態２に係る光源装置１ａにおいて、第２立壁６５は、軸方向に沿って設けられており、複数配置されていることが好ましい。
【００９３】
実施形態２に係る光源装置１ａでは、筒部６１ａが複数の第２立壁６５を有する。これにより、導電性部材６０２の接合面積を大きくすることができるので、少ない導電性部材６０２でありながら、口金６ａと実装基板４の端部（突出片４２）との接続性を向上させることができる。
【００９４】
（実施形態３）
実施形態３に係る光源装置１ｂは、図８Ａ、図８Ｂ及び図８Ｃに示すように、一対の口金６に代えて一対の口金６ｂを備える点で、実施形態１に係る光源装置１（図１参照）と相違する。なお、実施形態１に係る光源装置１と同様の構成要素については、同一の符号を付して説明を省略する。
【００９５】
実施形態３に係る一対の口金６ｂの各々は、図８Ｂに示すように、筒部６１ｂと、立壁６６とを有する。
【００９６】
筒部６１ｂは、円筒状であり、筐体５に取り付けられたときに筐体５の長手方向における実装基板４の突出片４２を囲むように設けられている。筒部６１ｂは、実施形態１の筒部６１を略同じ機能を有する。
【００９７】
立壁６６は、板状であり、基部６６１と、一対の突出部６６２とを備える。基部６６１は、直方体状に形成されている。一対の突出部６６２は、基部６６１の長手方向の両端部から同じ向きに突出する。これにより、立壁６６は、基部６６１と一対の突出部６６２とで囲まれた凹部６６３を有する。
【００９８】
立壁６６は、図８Ｂ及び図８Ｃに示すように、筒部６１ｂに収容されて、実装基板４の突出片４２（端部）と交差して接続されている。より詳細には、立壁６６の厚み方向が実装基板４の突出片４２の厚み方向と交差するように、立壁６６は、実装基板４の突出片４２と交差して接続されている。実装基板４の突出片４２が凹部６６３に嵌め合わされることによって、立壁６６は、実装基板４の突出片４２に接続されている。
【００９９】
ここで、立壁６６は、導電性部材６０３を介して実装基板４の突出片４２と電気的に接続されている。より詳細には、図８Ｂ及び図８Ｃに示すように、実装基板４の突出片４２と立壁６２とで囲まれた４か所の領域に設けられた導電性部材６０３によって、立壁６６は、実装基板４の突出片４２と電気的かつ機械的に接続されている。
【０１００】
さらに、立壁６６は、導電性部材６０４を介して筒部６１ｂと電気的に接続されている。より詳細には、立壁６６の基部６６１の長手方向の両端部と筒部６１ｂとの間の２か所の領域に設けられた導電性部材６０４によって、立壁６６は、筒部６１ｂと電気的かつ機械的に接続されている。
【０１０１】
以上説明したように、実施形態３に係る光源装置１ｂにおいて、立壁６６は、板状であり、実装基板４の端部（突出片４２）と交差して接続されており、導電性部材６０４を介して筒部６１ｂと電気的に接続されていることが好ましい。
【０１０２】
実施形態３に係る光源装置１ｂでは、板状の立壁６６が、実装基板４の端部（突出片４２）と交差して接続されている。これにより、筒部と筐体とで囲まれた内部空間の全てを導電性部材で充填する場合と比較して、より少ない導電性部材６０３、６０４で口金６ｂと実装基板４の端部とを電気的に接続させることができる。
【０１０３】
（実施形態４）
実施形態４に係る光源装置１ｃは、図９Ａ及び図９Ｂに示すように、２つのレンズ７１、７２を備える点で、実施形態１に係る光源装置１（図１参照）と相違する。なお、実施形態１に係る光源装置１と同様の構成要素については、同一の符号を付して説明を省略する。
【０１０４】
実施形態４に係る光源装置１ｃは、筐体５ｃを備える。筐体５ｃは、ボディ５１ｃと、カバー５２ｃとを備える。なお、実施形態１の筐体５（図１参照）と同様の機能については説明を省略する。
【０１０５】
カバー５２ｃは、カバー本体５６ｃを備える。カバー本体５６ｃは、実施形態１のカバー本体５６（図２参照）と同様に、窓孔５６１（第１開口）を有する。そして、窓孔５６１には、レンズ７１が嵌め込まれている。カバー５２ｃは、実施形態１のカバー５２（図１参照）と略同じ構造を有する。また、レンズ７１は、実施形態１のレンズ７（図１参照）と同じ機能を有する。
【０１０６】
ボディ５１ｃは、ボディ本体５３ｃを備える。ボディ本体５３ｃは、実施形態１のボディ本体５３（図２及び図３参照）とは異なり、窓孔５３１（第２開口）を有する。窓孔５３１は、実装基板４の厚み方向において、窓孔５６１と対向する位置に形成されている。そして、窓孔５６１には、レンズ７２が嵌め込まれている。なお、実施形態１のボディ５１（図１参照）と同様の機能については説明を省略する。また、レンズ７２は、実施形態１のレンズ７（図１参照）と同じ機能を有する。
【０１０７】
実施形態４の光源装置１ｃでは、実装基板４に実装された複数のＬＥＤ２がカバー５２ｃ側を向くように、実装基板４が筐体５ｃに収容された場合、複数のＬＥＤ２からの光はレンズ７１を介して外部に放射される。一方、複数のＬＥＤ２がボディ５１ｃ側を向くように、実装基板４が筐体５ｃに収容された場合、複数のＬＥＤ２からの光はレンズ７２を介して外部に放射される。上記より、実装基板４の向きがいずれの場合であっても、複数のＬＥＤ２からの光を外部に放射させることができる。
【０１０８】
以上説明したように、実施形態４に係る光源装置１ｃにおいて、筐体５ｃは、（複数の）固体発光素子（ＬＥＤ２）からの光が透過する第１開口（窓孔５６１）と、実装基板４の厚み方向において第１開口と対向する第２開口（窓孔５３１）を有する。
【０１０９】
実施形態４に係る光源装置１ｃでは、筐体５ｃが第１面及び第２面の両方に開口（窓孔５３１、５６１）を有する。これにより、筐体５ｃに対して実装基板４がどちらの向きに保持されていても、固体発光素子（ＬＥＤ２）からの光を外部に放射することができる。その結果、組み付け作業を容易に行うことができる。
【０１１０】
（実施形態５）
実施形態５では、移動体９について説明する。
【０１１１】
実施形態５に係る移動体９は、図１０に示すように、複数（図１０では２つ）の照明装置８ａ、８ｂと、本体９１と、複数（図１０では２つ）のサンバイザ９２ａ、９２ｂとを備える。移動体９は、自動車である。本体９１は、自動車の車体である。本体９１は、複数の照明装置８ａ、８ｂを搭載する。
【０１１２】
複数のサンバイザ９２ａ、９２ｂは、本体９１に取り付けられている。サンバイザ９２ａ、９２ｂは、矩形平板状である。サンバイザ９２ａには、長手方向の一端部に照明装置８ａが設けられており、サンバイザ９２ｂには、長手方向の一端部に照明装置８ｂが設けられている。つまり、実施形態５に係る移動体９である自動車の場合、運転席側及び助手席側の両方に照明装置８ａ、８ｂが設置されている。
【０１１３】
サンバイザ９２ａは、サンバイザ本体９３ａと、支持軸９４ａと、ブラケット９５ａと、パネル９６ａとを有する。同様に、サンバイザ９２ｂは、サンバイザ本体９３ｂと、支持軸９４ｂと、ブラケット９５ｂと、パネル９６ｂとを有する。サンバイザ本体９３ａ、９３ｂは、板状に形成されている。支持軸９４ａ、９４ｂは、サンバイザ本体９３ａ、９３ｂを支持する。ブラケット９５ａ、９５ｂは、支持軸９４ａ、９４ｂを車体の天井面９１１に取り付けられている。
【０１１４】
支持軸９４ａは、一端側がサンバイザ本体９３ａの周縁に沿って取り付けられる。支持軸９４ａは、他端側がブラケット９５ａに取り付けられている。支持軸９４ａは、ブラケット９５ａに対して、回転可能に取り付けられている。サンバイザ９２ａは、支持軸９４ａ周りに回転可能である。サンバイザ９２ａは、支持軸９４ａによって、サンバイザ９２ａを天井面９１１側の収納位置と、日除けとしての遮光側位置との間を移動できる。同様に、支持軸９４ｂは、一端側がサンバイザ本体９３ｂの周縁に沿って取り付けられる。支持軸９４ｂは、他端側がブラケット９５ｂに取り付けられている。支持軸９４ｂは、ブラケット９５ｂに対して、回転可能に取り付けられている。サンバイザ９２ｂは、支持軸９４ｂ周りに回転可能である。サンバイザ９２ｂは、支持軸９４ｂによって、サンバイザ９２ｂを天井面９１１側の収納位置と、日除けとしての遮光側位置との間を移動できる。
【０１１５】
サンバイザ本体９３ａは、ミラー９７ａと、蓋９８ａとを有する。蓋９８ａは、取手部９９ａを有する。蓋９８ａは、取手部９９ａが操作されることで、ミラー９７ａを覆う位置と、ミラー９７ａが外部に露出する位置との間でスライドできる。支持軸９４ａは、内部にケーブルが通っている。ケーブルは、移動体９の電源と照明装置８ａとを電気的に接続する。照明装置８ａでは、一対の接続端子８１、８２を介して、光源装置１へ電力が給電される。パネル９６ａは、照明装置８ａを覆うように、サンバイザ本体９３ａに取り付けられる。パネル９６ａは、照明装置８ａを保護する。パネル９６ａは、透光性を有する。パネル９６ａは、矩形平板状の外形形状をしている。同様に、サンバイザ本体９３ｂは、ミラー９７ｂと、蓋９８ｂとを有する。蓋９８ｂは、取手部９９ｂを有する。蓋９８ｂは、取手部９９ｂが操作されることで、ミラー９７ｂを覆う位置と、ミラー９７ｂが外部に露出する位置との間でスライドできる。支持軸９４ｂは、内部にケーブルが通っている。ケーブルは、移動体９の電源と照明装置８ｂとを電気的に接続する。照明装置８ｂでは、一対の接続端子８１、８２を介して、光源装置１へ電力が給電される。パネル９６ｂは、照明装置８ｂを覆うように、サンバイザ本体９３ｂに取り付けられる。パネル９６ｂは、照明装置８ｂを保護する。パネル９６ｂは、透光性を有する。パネル９６ｂは、矩形平板状の外形形状をしている。
【０１１６】
サンバイザ９２ａは、ミラー９７ａを外部に露出させる位置に蓋９８ａがスライドされることで、照明装置８ａを点灯させる。同様に、サンバイザ９２ｂは、ミラー９７ｂを外部に露出させる位置に蓋９８ｂがスライドされることで、照明装置８ｂを点灯させる。
【０１１７】
実施形態５に係る移動体９の本体９１内において、複数の照明装置８ａ、８ｂは、本体９１に非対称に搭載されている。より詳細には、照明装置８ａは、サンバイザ９２ａにおいて右寄りに配置されており、照明装置８ｂは、サンバイザ９２ｂにおいて左寄りに配置されている。また、照明装置８ａは、拡幅部５５がボディ本体５３よりも左側に位置するように取り付けられており、照明装置８ｂは、拡幅部５５がボディ本体５３よりも右側に位置するように取り付けられている。
【０１１８】
なお、移動体９は、自動車に限らず、鉄道車両、航空機又は船舶であってもよい。
【０１１９】
以上説明したように、実施形態５に係る移動体９は、（複数の）照明装置８ａ、８ｂと、本体９１とを備える。本体９１は、照明装置８を搭載する。
【０１２０】
実施形態５に係る移動体９は、照明装置８ａ、８ｂを複数備えることが好ましい。複数の照明装置８ａ、８ｂは、本体９１に非対称に搭載されていることが好ましい。
【０１２１】
本発明は、上述の実施形態だけに限定されず、本発明に係る技術的思想を逸脱しない範囲で、種々変更することができる。
【符号の説明】
【０１２２】
１、１ａ、１ｂ、１ｃ  光源装置
２  ＬＥＤ（固体発光素子）
３  回路素子
４  実装基板
４２  突出片（端部）
５、５ｃ  筐体
５３１  窓孔（第２開口）
５６１  窓孔（第１開口）
６、６ａ、６ｂ  口金
６０１、６０２、６０４  導電性部材
６１、６１ａ、６１ｂ  筒部
６１１  凹部
６２、６２ａ、６６  立壁
６３、６３ａ  貫通孔
６４  第１立壁
６５  第２立壁
８、８ａ、８ｂ  照明装置
８１、８２  接続端子
９  移動体
９１  本体
【図１】
2018110064.tif 000003
【図２】
2018110064.tif 000004
【図３】
2018110064.tif 000005
【図４】
2018110064.tif 000006
【図５】
2018110064.tif 000007
【図６】
2018110064.tif 000008
【図７】
2018110064.tif 000009
【図８】
2018110064.tif 000010
【図９】
2018110064.tif 000011
【図１０】
2018110064.tif 000012